(57)【要約】【課題】筐体の底面部に着脱部材を取り付ける際の作業性を向上できる照明装置を提供する。【解決手段】実施形態の照明装置は、光源部を収納し、光源部の周囲に放熱フィンと縁部とを有する筐体と、縁部にかかる爪部を有し、筐体における光源部の照射側に、光源部を中心とした回動により着脱可能な固定部材と、固定部材により支持され、光源部からの光を反射する反射部材とを具備する。【選択図】図１
2015158989.tif 000002
【特許請求の範囲】
【請求項１】
光源部を収納し、当該光源部の周囲に放熱フィンと縁部とを有する筐体と；
前記縁部にかかる爪部を有し、前記筐体における前記光源部の照射側に、前記光源部を中心とした回動により着脱可能な固定部材と；
前記固定部材により支持され、前記光源部からの光を反射する反射部材と；
を具備する照明装置。
【請求項２】
前記固定部材には、前記光源部からの光を通す開口が設けられている、
請求項１に記載の照明装置。
【請求項３】
前記縁部は、張り出し長さが互いに異なり、前記光源部を中心とした周方向において段差のある縁を有し、
前記爪部は、前記光源部を中心とした前記固定部材の回動により、前記縁部における張り出し長さの長い縁にかかり、前記縁部における張り出し長さの短い縁より外れる、
請求項１又は２に記載の照明装置。
【発明の詳細な説明】
【技術分野】
【０００１】
本発明の実施形態は、照明装置に関する。
【背景技術】
【０００２】
従来、店舗などの天井に設置される照明装置がある。かかる照明装置では、反射傘などの着脱部材を筐体の底面部に取り付ける場合がある。この筐体の底面部に取り付ける着脱部材は自重によって下向きに落ちやすくなり、筐体の底面部に着脱部材を取り付ける際の作業性が悪かった。
【先行技術文献】
【特許文献】
【０００３】
【特許文献１】特開２０１２−３３３３１号公報
【発明の概要】
【発明が解決しようとする課題】
【０００４】
本発明が解決しようとする課題は、筐体の底面部に着脱部材を取り付ける際の作業性を向上できる照明装置を提供することである。
【課題を解決するための手段】
【０００５】
実施形態の照明装置は、光源部を収納し、光源部の周囲に放熱フィンと縁部とを有する筐体と、縁部にかかる爪部を有し、筐体における光源部の照射側に、光源部を中心とした回動により着脱可能な固定部材と、固定部材により支持され、光源部からの光を反射する反射部材とを具備する。
【図面の簡単な説明】
【０００６】
【図１】図１は、実施形態に係る照明装置を示す正面図である。
【図２】図２は、実施形態に係る照明装置を示す斜視図である。
【図３】図３は、図２のＡ−Ａ断面図である。
【図４】図４は、下部筐体を示す底面図である。
【図５】図５は、反射傘固定部材を示す斜視図である。
【図６】図６は、反射傘の下部筐体への組付けを例示する分解斜視図である。
【図７】図７は、反射傘を下部筐体へ組付けた状態の底面図である。
【発明を実施するための形態】
【０００７】
以下、図面を参照して、実施形態にかかる照明装置を説明する。実施形態において同一の機能を有する構成には同一の符号を付し、重複する説明は省略する。なお、以下の実施形態で説明する照明装置は、一例を示すに過ぎず、実施形態を限定するものではない。また、以下の各実施形態は、矛盾しない範囲内で適宜組みあわせてもよい。
【０００８】
以下で説明する実施形態にかかる照明装置１は、光源部２０２を収納し、光源部２０２の周囲に放熱フィン２０５と縁部２１６とを有する下部筐体２０と、縁部２１６にかかる爪部１１２を有し、下部筐体２０における光源部２０２の照射側に、光源部２０２を中心とした回動により着脱可能な反射傘固定部材１０１と、反射傘固定部材１０１により支持され、下部筐体２０からの光を反射する反射傘１０とを具備する。
【０００９】
また、以下で説明する実施形態にかかる照明装置１において、反射傘固定部材１０１には、光源部２０２からの光を通す開口部１１４が設けられている。
【００１０】
また、以下で説明する実施形態にかかる照明装置１において、縁部２１６は、張り出し長さが互いに異なり、光源部２０２を中心とした周方向において段差のある縁２１４、２１５を有し、爪部１１２は、光源部２０２を中心とした反射傘固定部材１０１の回動により、縁部２１６における張り出し長さの長い縁２１５にかかり、縁部２１６における張り出し長さの短い縁２１４より外れる。
【００１１】
また、以下で説明する実施形態にかかる照明装置１において、フランジ部２１３は、円周方向において等間隔に複数設けられる。
【００１２】
（実施形態）
［照明装置の外観例］
図１は、実施形態に係る照明装置１を示す正面図である。図２は、実施形態に係る照明装置１を示す斜視図である。図１に示すように、照明装置１は、天井２より吊り下げる、吊り下げ型であり、反射傘１０、下部筐体２０、上部筐体３０及び吊り下げ部４０を有する。
【００１３】
吊り下げ部４０は、天井２より上部筐体３０を吊り下げる部材であり、天井取付器具４１、鎖４２及び天板取付器具４３を有する。天井取付器具４１は、天井２に直付けする、例えばおわん型の部材であり、下部において鎖４２の一端を接続する。鎖４２は、天井２より吊り下げる分の長さを有し、天井取付器具４１より吊り下げられた先端側には天板取付器具４３が接続される。図２に示すように、天板取付器具４３は、アイボルトなどであり、上部筐体３０の上部にある天板３０２の中央部分に取り付けられる。
【００１４】
反射傘１０は、例えば亜鉛めっき鋼板などの板金により、開いた傘型に形成されている。反射傘１０は、下部筐体２０の下部において着脱可能に取り付けられる部材であり、下部筐体２０より発光される光を内壁面で反射して照射方向を調整し、下方（Ｙ軸方向）へ照射する。
【００１５】
下部筐体２０は、上部筐体３０の下部に取り付けられ、放熱ユニット２０１で覆われた内部に収納された光源モジュール２０７（図３参照）より光を照射する。放熱ユニット２０１は、熱伝導性の高い亜鉛、アルミニウム、マグネシウムなどの合金によるダイキャスト製である。
【００１６】
上部筐体３０は、例えば亜鉛めっき鋼板などの板金より形成されたカバー部材３０１と、天板３０２とを有し、カバー部材３０１及び天板３０２で覆われた内部には光源モジュール２０７へ電力を供給するための電源部３０７（図３参照）が収納される。カバー部材３０１は、底部及び側面外周を覆う円筒形状の部材である。天板３０２は、カバー部材３０１の上部における開口部分を覆う円形部材である。天板３０２には、中央部分において天板取付器具４３が装着され、電源・信号ケーブル（図示しない）を通すブッシュ３０３と、ネジ（図示しない）を通すネジ穴３０４とが設けられている。
【００１７】
天板３０２の径は、カバー部材３０１の上部における開口部分の径よりも短い。よって、カバー部材３０１の上部における開口部分を天板３０２で覆った構成において、カバー部材３０１の上部の縁と天板３０２の外周の縁との間には間隙Ｓ１が形成される。具体的には、天板３０２の外周の縁から等間隔な間隙Ｓ１が形成されている。この間隙Ｓ１により、上部筐体３０の内部と外部との間では、空気の出入りが可能となっている。なお、間隙Ｓ１は、上部筐体３０内部への埃の侵入を極力少なくすることから、あまり大きなものではなく、上部筐体３０の内部で暖められた空気が外部へ逃げることができる程度の大きさで形成されることが好ましい。
【００１８】
［照明装置の内部構成例］
図３は、図２のＡ−Ａ断面図である。図３に示すように、反射傘１０は、反射傘固定部材１０１を介して下部筐体２０の下部に取り付けられる。反射傘固定部材１０１は、例えば亜鉛めっき鋼板などの板金より形成され、光源部２０２からの光を通す開口を設けた環状の部材である。反射傘固定部材１０１は、リングの縁において外向き突出されたフランジ１１１で反射傘１０を支持し、リングの開口部分を光源部２０２の位置に合わせた状態でネジ１０２により下部筐体２０に取り付けられる。
【００１９】
下部筐体２０は、放熱ユニット２０１の内部において、光源部２０２を具備する。光源部２０２は、下向きに開口が設けられた例えば円筒形状の光源収納部２０３を有する。光源部２０２は、放熱ユニット２０１の略中央に設けられた軸２０４上に設けられ、軸２０４を中心に放熱ユニット２０１の外周に向かって放射状に複数設けられた放熱フィン２０５により支持されている。光源収納部２０３の上部には、光源モジュール取付部２０６が設けられており、光源モジュール２０７を下向きに取り付ける。光源モジュール取付部２０６は、例えば熱伝導性の高い金属製であり、光源モジュール２０７より発生した熱を放熱フィン２０５へと逃がす役割も果たしている。光源モジュール２０７は、基板の所定面にＬＥＤ（Light Emitting Diode）等の発光素子が実装され、かつ、発光素子が実装された面とは反対の面が光源モジュール取付部２０６に取り付けられている。
【００２０】
光源モジュール２０７の下側には、反射板２０８が設けられている。反射板２０８は、例えば、ＡＢＳ樹脂等の合成樹脂製、又は、アルミダイカストなどの金属製であり、上下両端がそれぞれ略円形に開口されたお椀を伏せた形状に形成される。反射板２０８は、光源モジュール２０７から発光される光を反射する。反射板２０８の下側開口部分には、板ガラス２０９がガラス抑え部材２１１を介してネジ２１０により取り付けられている。この板ガラス２０９は、光源モジュール２０７からの光の拡散や、光源モジュール２０７への埃の侵入防止などの役割を果たす。ガラス抑え部材２１１は、例えば亜鉛めっき鋼板などの板金より形成され、光源部２０２からの光を通す開口を設けた環状の部材である。
【００２１】
下部筐体２０の上部には、上部筐体３０の底板部３０５に通すブッシュと、底板部３０５にネジ止めするためのネジ穴とが設けられている。下部筐体２０の上部と上部筐体３０の底板部３０５とは、ブッシュを通した後にネジ止めされる。なお、ブッシュは、光源収納部２０３まで挿通されており、上部筐体３０からのケーブル（電源線、信号線など）を光源モジュール２０７へ通す。
【００２２】
上部筐体３０は、カバー部材３０１の内部において、電源台座３０６、電源部３０７及び放熱板３１０を具備する。電源台座３０６は、例えば両サイドより起立して中央部分に平面が形成されたアーチ形状の板金であり、カバー部材３０１の底板部３０５の内側上面に取り付けられる。電源台座３０６の中央部分（アーチ形状の頂上部分）の上面には、電源部３０７がネジなどで取り付けられる。
【００２３】
このように、電源部３０７を底板部３０５に直付することなく、電源台座３０６を介して取り付けることで、電源部３０７が発生する熱を電源台座３０６を介して逃がすことができ、電源部３０７の放熱性を高めることができる。また、電源台座３０６のアーチ形状の頂上部分において電源部３０７が取り付けられ、電源部３０７は、底板部３０５より浮いた形となっている。したがって、電源部３０７の周囲においては風の通りがよくなることから、より放熱性が高いものとなっている。
【００２４】
電源部３０７は、基板３０８、３０９を具備する。基板３０８、３０９は、ブッシュ３０３からの電源・信号ケーブルと接続し、光源モジュール２０７で点灯／消灯／調光などを行うための駆動電力を生成して光源モジュール２０７へ出力する。電源部３０７の上面には放熱板３１０がネジなどで取り付けられる。放熱板３１０は、例えば熱伝導性の高い金属製の板金である。放熱板３１０は、中央部分で起立した形状であり、起立した部分を境にして一端側の平面で電源部３０７と接合し、他端側の平面で天板３０２と熱的に接合する。放熱板３１０は、例えば溶接などにより天板３０２に取り付けられる。
【００２５】
このように、電源部３０７を天板３０２に直付することなく、放熱板３１０を介して取り付けることで、電源部３０７が発生する熱を放熱板３１０を介して逃がすことができ、電源部３０７の放熱性を高めることができる。また、放熱板３１０の起立した部分により、電源部３０７は、天板３０２より離れた形となっている。したがって、電源部３０７の周囲においては風の通りがよくなることから、より放熱性が高いものとなっている。
【００２６】
また、電源台座３０６、電源部３０７及び放熱板３１０は、カバー部材３０１の底板部３０５より上方に向かって、電源台座３０６、電源部３０７、放熱板３１０の順に取り付けられている。そして、放熱板３１０の上部には天板３０２が取り付けられる。このため、照明装置１は、天井２からの吊り下げた場合に、カバー部材３０１の外周の壁面を介して支持されるのではなく、底板部３０５より天板３０２までの間に順に取り付けられた電源台座３０６、電源部３０７、放熱板３１０により支持される。すなわち、底板部３０５より天板３０２までの間に順に取り付けられた電源台座３０６、電源部３０７、放熱板３１０は、天井２からの取付部材としての役割も果たしている。このように、天井２からの取付部材がカバー部材３０１の底板部３０５に取り付けられることから、カバー部材３０１の上部の縁と天板３０２の外周の縁との間において、間隙Ｓ１を形成することが可能となっている。
【００２７】
［反射傘の下部筐体への組付け例］
図４は、下部筐体２０を示す底面図である。図５は、反射傘固定部材１０１を示す斜視図である。図６は、反射傘１０の下部筐体２０への組付けを例示する分解斜視図である。図７は、反射傘１０を下部筐体２０へ組付けた状態の底面図である。なお、図６においては、反射傘１０を下部筐体２０へ組み付ける様子を見やすくするため、反射傘１０を二点鎖線で描き、半透視状態としている。
【００２８】
図４に示すように、下部筐体２０の底面側には、環状の反射傘固定部材１０１の取り付け位置に対応した、光源収納部２０３の外周に縁部２１６が設けられている。この縁部２１６には、ネジ１０２を受けるネジ穴２１２と、フランジ部２１３とが設けられている。具体的には、光源部２０２からの光を通す開口部分（板ガラス２０９のある部分）に反射傘固定部材１０１の開口部を合わせたところで、反射傘固定部材１０１の環状の環状板１１０を取り付ける縁部２１６に３組のネジ穴２１２及びフランジ部２１３が設けられている。より具体的には、光源部２０２からの光を通す開口部分の中心Ｏと同じ中心を持つ円の円周方向（以下、円周方向）において、等間隔に３組のネジ穴２１２及びフランジ部２１３が設けられている。
【００２９】
光源収納部２０３の縁部２１６の外周（フランジ部２１３）には、放射状に複数設けられた放熱フィン２０５の間において、張り出し長さが互いに異なる縁２１４、２１５を具備し、中心Ｏから縁２１４までの長さｒ１よりも中心Ｏから縁２１５までの長さｒ２が長く、円周方向において段差のある形状となっている。具体的には、ネジ穴２１２より離れたところでは出っ張り方向における長さが短い縁２１４が設けられ、ネジ穴２１２に近いところでは出っ張り方向における長さが長い縁２１５が設けられている。このため、中心Ｏより時計回りに回転した場合には、ネジ穴２１２に近づくにつれて、光源収納部２０３の段差が高く（中心Ｏから縁までの長さが長く）なる。
【００３０】
図５に示すように、反射傘固定部材１０１は、下部筐体２０の底面側に取り付ける環状板１１０と、環状板１１０の縁に設けられた外周壁１１０ａと、この外周壁１１０ａより外向きに突出されたフランジ１１１を具備する。環状板１１０は、突出した縁に反射傘１０の内壁を掛けることで、反射傘１０を支持する。環状板１１０は、光源部２０２からの光を通す開口部分に対応した大きさの開口部１１４を形成する。例えば、開口部１１４は、光源部２０２からの光を通す開口部分と略同じ径、又は若干大きめの円形状であってよく、光源部２０２からの光を遮らないようにすることが好ましい。
【００３１】
環状板１１０上には、下部筐体２０の底面における３組のネジ穴２１２とフランジ部２１３とに対応する位置に、同じく３組の爪部１１２と、ダルマ穴１１３とが設けられている。より具体的には、爪部１１２はフランジ部２１３に、ダルマ穴１１３はネジ穴２１２にそれぞれ対応して設けられる。
【００３２】
爪部１１２は、上向きに起立した先端部分が内側に折れた形状であり、中心Ｏから外方向において長さｒ３の位置に形成されている。長さｒ３は、長さｒ２と略同じであり、長さｒ１よりは長いものとする。このため、下部筐体２０の中心Ｏに反射傘固定部材１０１の中心Ｏを合わせた場合、フランジ部２１３の縁２１４部分では、爪部１１２を引っ掛けることなく反射傘固定部材１０１を下部筐体２０の底面に押し当てることができる。そして、時計回りに反射傘固定部材１０１を回転させて、フランジ部２１３の縁２１５部分に爪部１１２があるときは、縁２１５により爪部１１２が引っ掛かることとなり、反射傘固定部材１０１が鉛直方向に落下することを防止する。
【００３３】
ダルマ穴１１３は、ネジ穴２１２に取り付けたネジを通して反射傘固定部材１０１を下部筐体２０にネジ止めするための穴である。具体的には、ネジ穴２１２に取り付けたネジをダルマ穴１１３の大径部分で通した後に、時計周りに回転させ、小径部分でのネジ止めを行うため、円周方向に大径部分と小径部分とが並んだ形状となっている。
【００３４】
反射傘１０の下部筐体２０への組付けでは、図６中の点線で示すように、爪部１１２をフランジ部２１３の縁２１４の直下に置いて、反射傘１０を載せた反射傘固定部材１０１を下部筐体２０の底面に押し当てる。次いで、時計回しに反射傘固定部材１０１を回転させてダルマ穴１１３の小径部分でネジ止めを行う。
【００３５】
図７に示すように、ダルマ穴１１３の小径部分でのネジ止め時においては、フランジ部２１３の縁２１５により爪部１１２が引っ掛かることとなり、作業者は反射傘固定部材１０１を手で抑えることなく、ネジ止め作業を行うことができる。したがって、作業者は反射傘１０の自重による落下を気にすることなく作業に専念でき、反射傘１０を取り付ける際の作業性が向上する。
【００３６】
（実施形態の効果）
上述してきたように、実施形態に係る照明装置１では、光源部２０２を収納し、光源部２０２の周囲に放熱フィン２０５と縁部２１６とを有する下部筐体２０と、縁部２１６にかかる爪部１１２を有し、下部筐体２０における光源部２０２の照射側に、光源部２０２を中心とした回動により着脱可能な反射傘固定部材１０１と、反射傘固定部材１０１により支持され、下部筐体２０からの光を反射する反射傘１０とを具備する。このため、実施形態にかかる照明装置１によれば、爪部１１２を縁部２１６に掛けさせることで、反射傘固定部材１０１の落下を防止でき、下部筐体２０の反射傘固定部材１０１を取り付ける際の作業性を向上できる。また、光源部２０２の周囲に放熱フィン２０５がある構造であることで、放熱フィン２０５間において張り出す縁部２１６を形成することができる。また、光源部２０２の中心Ｏと軸を同じくして反射傘固定部材１０１を回転させることで、反射傘１０を容易に着脱できる。
【００３７】
また、実施形態にかかる照明装置１では、反射傘固定部材１０１には、光源部２０２からの光を通す開口部１１４が設けられている。このため、実施形態にかかる照明装置１によれば、光源部２０２からの光が反射傘固定部材１０１により遮られることがない。
【００３８】
また、実施形態にかかる照明装置１では、縁部２１６は、張り出し長さが互いに異なり、光源部２０２を中心とした周方向において段差のある縁２１４、２１５を有し、爪部１１２は、光源部２０２を中心とした反射傘固定部材１０１の回動により、縁部２１６における張り出し長さの長い縁２１５にかかり、縁部２１６における張り出し長さの短い縁２１４より外れる。このため、実施形態にかかる照明装置１によれば、爪部１１２が縁２１５に掛けられることから、反射傘固定部材１０１を手で抑えることなく、ネジ止め作業等を行うことができる。また、光源部２０２を中心とした反射傘固定部材１０１の回動により、縁部２１６における張り出し長さの短い縁２１４より爪部１１２を外すことができ、反射傘固定部材１０１を容易に取り外すことができる。
【００３９】
また、実施形態にかかる照明装置１では、フランジ部２１３は、円周方向において等間隔に複数設けられる。実施形態にかかる照明装置１によれば、複数のフランジ部２１３に設けられた縁２１５の各々で、爪部１１２を掛けることで、安定してネジ１０２を支えることができる。
【００４０】
また、上記実施形態に係る各部材の形状、原料及び材質は、実施形態や各図に表記した例に限られない。例えば、下部筐体２０、上部筐体３０などは、円柱状の形状を例示したが、角柱状の形状であってもよい。また、例示した着脱部材は、下部筐体２０の底面部に着脱するものであればいずれであってもよく、反射傘１０を取り付けるための反射傘固定部材１０１などに限るものではない。例えば、光源部２０２を保護する網状の保護部材などであってもよい。
【００４１】
以上説明したとおり、上記実施形態によれば、筐体の底面部に着脱部材を取り付ける際の作業性を向上できる。
【００４２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４３】
１、１ａ…照明装置、２…天井、１０…反射傘、２０…下部筐体、３０、３０ａ…上部筐体、４０…吊り下げ部、１０１…反射傘固定部材、１０２…ネジ、１１０…環状板、１１１…フランジ、１１２…爪部、１１３…ダルマ穴、１１４…開口部、２０１…放熱ユニット、２０２…光源部、２０７…光源モジュール、２１２…ネジ穴、２１３…フランジ部、２１４、２１５…縁、３０１…カバー部材、３０２…天板、３０４…ネジ穴、３０５…底板部、３０６…電源台座、３０７…電源部、３１０…放熱板、３５０…天板、Ｏ…中心、ｒ１、ｒ２、ｒ３…長さ
【図１】
2015158989.tif 000003
【図２】
2015158989.tif 000004
【図３】
2015158989.tif 000005
【図４】
2015158989.tif 000006
【図５】
2015158989.tif 000007
【図６】
2015158989.tif 000008
【図７】
2015158989.tif 000009